(57)【要約】【課題】本発明は、毛腰の強いブラシ体と毛腰の弱いブラシ体を近接した回転清掃体の改良に関するものである。【解決手段】機器に回転自在に取着されると共に、外周長手方向に少なくとも１条の清掃体固定部を有するローター体と、被掃除面の塵埃を掻き取るブラシ体と略帯状で下端に前記清掃体固定部に挿入される基部からなる清掃体と、を備えた回転清掃体において、前記清掃体は、その毛丈方向の仮想中心軸線が、前記ローター体の回転中心軸線を非通過となるよう前記清掃体固定部に取り付けられ、前記回転清掃体の回転時において、その回転方向の前側のブラシ体が、後側のブラシ体に比べて毛腰が強い回転清掃体とした。【選択図】図５
2015171518.tif 000002
【特許請求の範囲】
【請求項１】
機器に回転自在に取着されると共に、外周長手方向に少なくとも１条の清掃体固定部を有するローター体と、被掃除面の塵埃を掻き取るブラシ体と略帯状で下端に前記清掃体固定部に挿入される基部からなる清掃体と、を備えた回転清掃体において、前記清掃体は、その毛丈方向の仮想中心軸線が、前記ローター体の回転中心軸線を非通過となるよう前記清掃体固定部に取り付けられ、前記回転清掃体の回転時において、その回転方向の前側のブラシ体が、後側のブラシ体に比べて毛腰が強いことを特徴とする回転清掃体。
【請求項２】
毛腰の弱いブラシ体の先端部の回転方向の厚み寸法は、毛腰の強いブラシ体より大であることを特徴とする請求項１記載の回転清掃体。
【請求項３】
毛腰の強いブラシ体と毛腰の弱いブラシ体の、それぞれの毛丈長を略同寸法としたことを特徴としたことを特徴とする請求項１または２記載の回転清掃体。
【請求項４】
請求項１〜３項のいずれか１項に記載の回転清掃体を回転自在に設けた掃除機用吸込具。
【請求項５】
電動送風機と、請求項４に記載の掃除機用吸込具とを備え、前記電動送風機と前記掃除機用吸込具とを連通させた電気掃除機。
【請求項６】
空気吸入口から吸入した空気を空気吹出口に導く風路を有する本体と、該本体内にエアフィルターと、送風ファンと、前記エアフィルターに付着した塵埃等を除去する請求項１〜３項のいずれか１項に記載の回転清掃体とを備え、前記回転清掃体で前記エアフィルターに捕集された塵埃を除去するようにした空気調和機。
【発明の詳細な説明】
【技術分野】
【０００１】
本発明は、回転清掃体に関するもので、機器に回転自在に取着された回転清掃体により被清掃面上の塵埃を除塵する電気掃除機、空気調和機等に使用されるものである。
【背景技術】
【０００２】
電気掃除機の吸込具や空気調和機等のフィルター清掃ユニットに使用される回転清掃体は、被清掃面に堆積した塵埃を効率よく清掃するのが求められている。しかし、電気掃除機では被清掃面の表面は形状や材質等が異なっており、一つの吸込具で、全ての床面を効率よく清掃するのは、困難を極めていた。また、空気調和機のように空気吸入口のエアフィルタで捕集した微細な塵埃や油分を含んだ塵埃を除去するのも、困難を極めていた。しかしながら、被清掃面に直接接触して塵埃を掃き上げる清掃体に、各種工夫を凝らし、清掃効率の向上及び被清掃面を傷めないような回転清掃体が開示されている。(例えば、特許文献１、特許文献２、参照)
【先行技術文献】
【特許文献】
【０００３】
【特許文献１】特開平７−５９６８９号公報
【特許文献１】実開昭５９−１２７５４５号公報
【発明の概要】
【発明が解決しようとする課題】
【０００４】
上記特許文献１に記載の電気掃除機用の回転清掃体では、回転しながら床面等に接触して清掃する摺接片の形状を、中心部には硬質の弾性材、その両側には軟質の繊維を用いることで、硬質の弾性材が床面に直接接触しないので、床面を傷つけにくく、かつ、中心部の硬質部分が、外側部の柔らかい部分が極端に曲がるのを防止することで、絨毯の表面に絡んだ塵埃を掻き出している。また、特許文献２に記載の電気掃除機の回転ブラシ装置では、回転ブラシの回転方向に対してブラシ毛を床面にくい込む方向に傾斜させて植設したことで、絨毯上のゴミをブラシ毛がすくい上げるようにして、かき上げ性能を向上させている。このように、それぞれ清掃性を向上させているが、特許文献１の場合、床面にこびり付いたような塵埃除去に関しては、軟質の繊維が前記塵埃と硬質の弾性材の間に入り、緩衝材の役目を果たしてしまい、床面からの塵埃剥離力不足を生じさせるので、この種の塵埃除去にはやや不向きとなりやすい。また、比較的傷のつきやすい床面の清掃のとき、軟質の繊維は大きく屈曲しながら、ソフトに掃くように床面に接触するのが望ましいが、硬質の弾性材が屈曲を阻害してしまうので、長期間の使用により床面の損傷が発生しやすい。
【０００５】
さらにまた、特許文献２の場合は、ブラシ毛が１種類のために、床面にこびりついたような固めの塵埃清掃や長期間使用による床面の損傷対応には、ブラシ毛は固く毛丈が短いものが、また、床面の溝や絨毯等の奥深く入り込んだ塵埃の清掃や床面の磨きには、柔らかく毛丈の長いものが、それぞれ求められるが、これらに対応できない等の課題が生じやすい。
【課題を解決するための手段】
【０００６】
上記従来の課題を解決するために、請求項１の発明は、機器に回転自在に取着されると共に、外周長手方向に少なくとも１条の清掃体固定部を有するローター体と、被掃除面の塵埃を掻き取るブラシ体と略帯状で下端に前記清掃体固定部に挿入される基部からなる清掃体と、を備えた回転清掃体において、前記清掃体は、その毛丈方向の仮想中心軸線が、前記ローター体の回転中心軸線を非通過となるよう前記清掃体固定部に取り付けられ、前記回転清掃体の回転時において、その回転方向の前側のブラシ体が、後側のブラシ体に比べて毛腰が強いことを特徴としている。
【０００７】
また、請求項２の発明は、毛腰の弱いブラシ体の先端部の回転方向の厚み寸法は、毛腰の強いブラシ体より大であることを特徴としている。さらに、請求項３の発明は、毛腰の強いブラシ体と毛腰の弱いブラシ体の、それぞれの毛丈長を略同寸法としたことを特徴としている。そして、請求項４の発明は、請求項１〜３のいずれか１項に記載の回転清掃体を回転自在に掃除機用吸込具に設けたことを特徴とし、請求項５の発明は、電動送風機と請求項４に記載の掃除機用吸込具とを連通させ電気掃除機としたことを特徴としている。また、請求項６の発明は、請求項１〜３のいずれか１項に記載の回転清掃体を用いて、エアフィルターに捕集された塵埃を除去することを特徴とした空気調和機である。
【発明の効果】
【０００８】
本発明の回転清掃体は、被清掃面の塵埃を回転しながら掃き上げ清掃するブラシ体の毛丈方向の中心軸線をローター体の回転中心軸線に非通過となるよう、ローター体にブラシ体を取り付けることで、ブラシ体は被清掃面に対し、喰い込むように接触するので、塵埃は強力に掃き上げることができ、特に、被清掃面にこびり付いたような食べかすや、砂等の比較的重い塵埃に対し清掃効率が向上する。また、前述の回転清掃体とは逆回転、すなわちブラシ体が被清掃面を撫でる方向に回転する場合には、被清掃面を掃くように接触するため油分を含んだ塵埃の拭き取り作用が向上する。さらに、ローター体の回転方向の前側に毛腰の強いブラシ体を、後側に毛腰の弱いブラシ体を設けているので、ローター体の回転中心軸線から毛腰の強いブラシ体と毛腰の弱いブラシ体のそれぞれの毛先までの寸法は、毛腰の弱いブラシ体が毛腰の強いブラシ体より大となる。すなわち、前記回転清掃体の回転時おいて、毛腰の弱いブラシ体はその回転半径が毛腰の強いブラシ体に比べ、大きくなるので、被清掃面に接触する量は多くなる。従って、例えば板の間や畳等の比較的硬い床面に吸込具を置いたとき、毛腰の強いブラシ体の毛先を、被清掃面に軽く接触するように構成することで、被清掃面に堆積や、こびり付いたような塵埃に対しては毛腰の強いブラシ体が強力に掃き上げることができ、毛腰の弱いブラシ体は、毛腰の強いブラシ体が取り残した塵埃の清掃や、被清掃面に接触することで、大きく屈曲して、被清掃面を掃きながら磨くこともできる。
【０００９】
この結果、長期間使用しても、被清掃面への損傷を少なくすることができる。さらに、板の間を構成する板間の隙間や、畳と畳の接合部や畳目等の溝等については、毛腰の強いブラシ体より回転半径の大きい毛腰の弱いブラシ体の先端部が、前記隙間や溝に入り込み、それぞれ掃き上げることができる。もちろん、絨毯やカーペットにおいても、畳や板の間と同様、表面に固着した塵埃を初めに毛腰の強いブラシ体が除塵し、内部に入り込んだ塵埃を後から毛腰の弱いブラシ体が大きく屈曲しながら掃き上げながら表面を磨くことができる。また、空気調和機等の清掃ユニットによるフィルター清掃の場合も同様に、フィルター表面に固着した塵埃を毛腰の強いブラシ体が除塵した後、フィルター表面よりも奥に付着している塵埃を毛腰の弱いブラシ体が除塵することができる。さらにまた、被清掃面に接触する毛腰の強いブラシ体の量は、毛腰の弱いブラシ体に比べ少ないので、回転清掃体の回転時において、その摩擦抵抗は少ない。すなわち駆動体によって回転清掃体を回転させる場合、駆動体の動力も少なくすることができ、省エネに繋がると共に、駆動体の小型化も可能となり、回転清掃体を内蔵する電気掃除機の吸込具や空気調和機等の清掃ユニット等の小型軽量化にも寄与できる。なお、毛腰の弱いブラシ体と毛腰の強いブラシ体を色違いにすることや、形状を、例えば、毛腰の弱いブラシ体はストレート線材、毛腰の強いブラシ体は捻った線材にすることで、その強度は増すので、毛腰の強いブラシ体の本数は少なくでき、その違いも明確になるので、作業者にとっても組立ミス等をなくすことができる。このように、多種多様の被清掃面の形状や材質に対応でき、清掃効率の向上が図れる。
【００１０】
また、清掃体を構成する毛腰の弱いブラシ体と毛腰の強いブラシ体の先端部の厚み寸法を、毛腰の強いブラシ体より毛腰の弱いブラシ体の方を大きくすることで、毛腰の弱いブラシ体は被清掃面との接触幅も大きくなるので、被清掃面の掃きや磨き性能が大きく向上すると共に、毛腰の強いブラシ体は被清掃面への接触幅が少なくなるので、長期間使用時においても、被清掃面への損傷等は大幅に減少することができる。すなわち、このような構成にすることで、被清掃面に堆積した比較的軽い塵埃や、こびり付いたような固めの塵埃、溝等に入り込んだ塵埃に対しても、清掃が効率よくできると共に長期間使用しても被清掃面に損傷等が生じにくく磨き効果もあることから、被清掃面に優しい吸込具を提供できる。
【００１１】
さらに、基部に取り付けられた毛腰の強いブラシ体と毛腰の弱いブラシ体のそれぞれの毛丈を同じにしても、ローター体の回転中心軸から遠い位置に設けられている毛腰の弱いブラシ体の先端部までの回転半径は、毛腰の強いブラシ体の先端部までより大きくなるので、被清掃面に当接する面積も大きくなる。すなわち、被清掃面をより磨くことができる。もちろん、予め毛腰の弱いブラシ体の毛丈を長く、毛腰の強いブラシ体の毛丈を短くするという必要はないので、作業時間の短縮や間違い防止もなくなり、作業性が向上する。なお、毛腰の弱いブラシ体と毛腰の強いブラシ体の区別を明確にするために、各ブラシ体の色彩や形状等を変えることは任意である。
【図面の簡単な説明】
【００１２】
【図１】本発明の掃除機本体と吸込具を接続した状態を示す側面図である。
【図２】本発明の吸込具を示し、上ケースを取り除いた平面図である。
【図３】図２の中央縦部の断面図である。
【図４】本発明の吸込具の回転清掃体が、回転時に被清掃面に当接する状態を想定した要部拡大断面図である。
【図５】本発明の吸込具の回転清掃体が、回転時に被清掃面に当接し塵埃を掃き上げる状態を示す要部拡大断面図である。
【図６】本発明の吸込具の回転清掃体が、回転時の被清掃面に当接し、溝内の塵埃を掃き上げる状態を示す断面図である。
【図７】本発明の吸込具の回転清掃体を構成する清掃体の側面図である。
【図８】本発明の他の実施例１を示す電気掃除機の吸込具の回転清掃体を構成する清掃体の側面図である。
【図９】本発明の他の実施例１を示す吸込具の回転清掃体が、回転時に被清掃面に当接し塵埃を掃き上げる状態を示す要部拡大断面図である。
【図１０】本発明の他の実施例２を示す吸込具の回転清掃体が、回転時に被清掃面に当接した状態を示す要部拡大断面図である。
【図１１】本発明に係る空気調和機の断面図である。
【図１２】本発明に係る除塵体の斜視図である。
【発明を実施するための形態】
【００１３】
以下、本発明の一実施例を、図１から図７を用いて説明する。電気掃除機１は、電動送風機（図示せず）と集塵室（図示せず）が収納され掃除機本体２と、スイッチ３を有するホース部４と、延長管５と、吸込具６とを備えて構成されている。Ｆは被清掃面、Ｇは糸や綿ゴミ、砂、被清掃面Ｆにこびり付いた食べかす等、の各種の塵埃、Ｍは被清掃面Ｆに形成される溝である。吸込具６は、底面の前側に被清掃面Ｆから塵埃を吸引する幅広の吸込口７を有する回転清掃体収納室８と該回転清掃体収納室８に先端が連通する塵埃通路９を有する幅広の上ケース１０と下ケース１１で形成された直方体状の吸込具ケース１２と、一端が前記塵埃通路９の後端側に連通し他端が前記吸込具ケース１２の後面から突出するよう吸込具ケース１２に回転自在に保持されて、延長管５に接続される接続管１３と、吸込具ケース１２の底面の両側に、それぞれ回転自在に取り付けられた一対の走行車輪１４、１４と、により構成されている。
【００１４】
回転清掃体１５は、所定長を有するローター体１６と、該ローター体１６に取り付けられた清掃体１７、１７と、ローター体１６の両端にそれぞれ有する軸体１８、１８を介して回転自在に保持する軸受体１９、１９より構成され、回転清掃体収納室８に、被清掃面Ｆから各種塵埃を回転しながら掃き上げるように収納されている。なお、軸体１８、１８は省き、軸受体１９、１９により、ローター体１６の両端を直接保持しても良い。ローター体１６は、樹脂やアルミニウムやマグネシウム等の軽金属よりなる所定長を有する柱状に形成され、その長軸方向すなわち軸受体１９、１９間を結ぶ仮想の回転中心軸線Ｃから後述する横軸線Ｙ方向に所定長延在し、ローター体１６の端から端まで形成された直方体状の清掃体固定部２０、２０を有している。Ｘは、回転中心軸線Ｃを垂直に通過する仮想の縦軸線、Ｙは、回転中心軸線Ｃを水平に通過する仮想の横軸線である。
【００１５】
清掃体１７、１７は、清掃体固定部２０、２０にそれぞれ固定される長方形状の基部２１、２１と、該基部２１、２１に形成された毛腰の強いブラシ体２３、２３と、毛腰の弱いブラシ体２５、２５とが、その長手方向に平行に設けられて構成されたブラシ体２６、２６とにより構成されており、清掃体１７、１７の毛丈Ｈ方向の仮想中心線ＸＸは、回転中心軸線Ｃから所定距離Ｌ離れて、縦軸線Ｘに平行で、清掃体固定部２０、２０に互いに逆向きになるよう固定されている。これにより、仮想中心線ＸＸは、回転中心軸線Ｃを非通過となり、回転清掃体１５の回転時に、清掃体１７、１７は、被清掃面Ｆに対し、喰い込むように接触することができ、さらに、各ブラシ体２３、２５の毛丈Ｈは略同寸法であるが、回転中心軸線Ｃから清掃体固定部２０、２０の先端部までの距離よりは大きくなるよう形成されるので、清掃体固定部２０、２０の各先端部が被清掃面Ｆに直接接触することはないものである。また、回転中心軸線Ｃに近い方に毛腰の強いブラシ体２３、遠方に毛腰の弱いブラシ体２５がそれぞれ配置され、図７の如く、それぞれの先端部の幅寸法ＷＮとＷＫは略同一に成っている。なお、各ブラシ体２３、２５の材質は、樹脂線や金属線あるいは、その混合線でもよく、またその形状も異なるようストレート線や撚り線、あるいは、それぞれが色違いに構成すると、作業者が毛腰の強いブラシ体２３と毛腰の弱いブラシ体２５の区別が解りやすく、組立を間違いなく容易にすることができる。
【００１６】
塵埃通路９の左右には、制御用電子部品３６を収納する制御室２７と、回転清掃体１５を回転させるための電動機から成る駆動体２８を収納する駆動室２９がそれぞれ設けられ、駆動体２８の回転数等は制御用電子部品３６により制御される。連結具３０は、駆動体２８の回転駆動力を、回転清掃体１５に伝達し、回転清掃体１５を所定の回転速度で、かつ所定の回転方向Ｋ（矢印）に回転させるためのものであり、ベルト３１や、各種ギア（図示せず）から成っている。なお、回転清掃体１５の回転時において、回転中心軸線Ｃに近い位置にある毛腰の強いブラシ体２３は、その回転方向Ｋ（矢印）の前側となり、被清掃面Ｆに最初に当接する事となり、回転中心軸線Ｃから遠い位置にある毛腰の弱いブラシ体２５は、後側となり、毛腰の強いブラシ体２３が被清掃面Ｆに当接した後に当接することとなる。なお、回転清掃体１５の回転速度は、ごく一般的な成人の吸込具６の操作速度より、速く設定されている。さらに、このような配置により、回転中心軸線Ｃから毛腰の強いブラシ体２３と毛腰の弱いブラシ体２５の各毛先までの距離は、毛腰の弱いブラシ体２５の方が毛腰の強いブラシ体２３より長くなり、回転清掃体１５の回転時において、毛腰の弱いブラシ体２５、２５間の毛先間の直径Ｄ１は、毛腰の強いブラシ体２３、２３間の毛先間の直径Ｄ２より大となる。なお、直径Ｄ１と直径Ｄ２の寸法差Ｅは、被清掃面Ｆの異なった形状や材質等に対し、溝Ｍ等に深く入り込んだり、あるいは硬い床面に対し大きく屈曲することができる。また、回転方向Ｋ（矢印）が、前記とは逆の場合は、当然、毛腰の強いブラシ体２３と毛腰の弱いブラシ体２５の配置は、逆とするものである。なお、図に示す、円形の一点鎖線は、前記直径Ｄ１と直径Ｄ２の回転軌跡ラインである。
【００１７】
なお、一対の走行車輪１４、１４を、吸込具６の底面の後方に設けたが、吸込具６の底面の前方に走行車輪１４、１４を設けてもよく、要は吸込具６を被清掃面Ｆに載置した状態で、回転清掃体１５の回転時において、毛腰の強いブラシ体２３、２３の外周部が、被清掃面Ｆに近接乃至接しているように形成されていれば良いものである。また、所定長を有するローター体１６は、その端から端までの形状をストレートでも所定角度で捻っても、更に、清掃体１７はローター体１６に２列形成したが、３列以上形成しても良いものである。
【００１８】
このように構成され、スイッチ３を操作すると、前記電動送風機（図示せず）と駆動体２８が運転を開始し、外気は前記電動送風機（図示せず）により吸込口７から侵入させられ、被清掃面Ｆ上の塵埃Ｇは駆動体２８と連結具３０により所定の回転速度で回転方向Ｋ側に回転する回転清掃体１５によって回転清掃体収納室８内に掃き上げられ、前記外気と共に掃除機本体２の集塵室（図示せず）に吸塵される。尚、この時、清掃体１７、１７は被清掃面Ｆに対して喰い込むように接触するので掃き上げ力は強力となり、被清掃面Ｆに堆積する綿ゴミや糸くず等の比較的軽量の塵埃Ｇは基より、表面にこびり付いたような食べかすや砂等の比較的重い塵埃Ｇに対しても、毛腰の強いブラシ体２３、２３が最初に当接して、その強力な掃き上げ力で持ち上げることができる。さらに、その後に回転清掃体１５の回転時において、毛腰の弱いブラシ体２５は回転中心軸線Ｃから先端までの距離が毛腰の強いブラシ体２３より長く形成されているので、毛腰の強いブラシ体２３、２３の掃き残した塵埃Ｇは基より、被清掃面Ｆを構成する溝Ｍや絨毯等の中に入った塵埃Ｇを大きく屈曲しながら掃き上げると共に、被清掃面Ｆの表面を磨くこともできる。尚、毛腰の強いブラシ体２３の毛先は、その回転時において被清掃面Ｆの奥深くまで入り込まず、表面に近接するよう形成されているので長期間の使用にも被清掃面Ｆを傷めることは少なくすることができる。また、被清掃面Ｆの磨き効果をさらに向上させたい場合は、毛腰の弱いブラシ体２５の毛丈Ｈを毛腰の強いブラシ体２３の毛丈Ｈより長く、あるいは、先端部の幅寸法ＷＮを大きく形成すれば良いものである。
（他の実施例１）
【００１９】
以下、図８と図９により説明する。所定長を有する柱状のローター体１６１は、その回転中心軸線Ｃから上下に、それぞれ所定距離Ｙ１だけ延在し、そこからそれぞれが直角に横軸線Ｙに平行に互いに離間する方向に屈曲した清掃体固定部２０１、２０１を有している。清掃体１７１、１７１は、清掃体固定部２０１、２０１にそれぞれ固定される長方形状の基部２１１、２１２と、該基部２１１、２１１に形成された毛腰の強いブラシ体２３１、２３１、及び該基部２１２、２１２に形成された毛腰の弱いブラシ体２５１、２５１により構成されている。清掃体１７１、１７１は、回転清掃体１５１の回転方向において、その前側に毛腰の強いブラシ体２３１、２３１が、後側に毛腰の弱いブラシ体２５１、２５１が配置されるように清掃体固定部２０１、２０１に、それぞれ固定されている。Ｓは、毛腰の強いブラシ体２３１と毛腰の弱いブラシ体２５１間に生じる隙間Ｓ、一点鎖線は、毛腰の弱いブラシ体２５１が屈曲しない状態を示す仮想線である。
【００２０】
このように構成することで、毛腰の強いブラシ体２３１と毛腰の弱いブラシ体２５１を別々に製作できるので、その生産性は向上する。また、隙間Ｓが形成されることで、毛腰の強いブラシ体２３１の先端部も屈曲が自在となり、被清掃面Ｆに存在する敷居等の段差に当接しても、その接触力を緩和できるので回転清掃体１５１の回転力の妨げになりにくい。また、毛腰の弱いブラシ体２５１の毛先幅ＷＮ１を毛腰の強いブラシ体２３１の毛先幅ＷＫ１より大とすることで、毛腰の弱いブラシ体２５１の被清掃面Ｆの磨き性能は、さらに向上することができる。
（他の実施例２）
【００２１】
以下、図１０により説明する。所定長を有する柱状のローター体１６３は、その縦断面において、回転中心軸線Ｃから等角度で放射状に４方向に所定距離延在する清掃体固定部２０３、２０３、２０３、２０３を有している。清掃体１７３は、基部２１３と該基部２１３にその根元をそれぞれ固着された毛腰の強いブラシ体２３３と毛腰の弱いブラシ体２５３より構成されており、清掃体１７３は、各清掃体固定部２０３、２０３、２０３、２０３に、回転清掃体１５３の回転時において、回転方向の前側にある隣の清掃体固定部２０３の裏面に略平行に取り付けられている。図に示した一点鎖線の円は、回転中心軸心線Ｃを中心にした、各清掃体固定部２０３、２０３、２０３、２０３の先端部までの回転円ＤＳと、毛腰の強いブラシ体２３３、２３３の毛先間の回転円ＤＭと、毛腰の弱いブラシ体２５３、２５３の毛先間の回転円ＤＤであり、その大きさは、回転円ＤＤ＞回転円ＤＭ＞回転円ＤＳとなる。このように構成されている回転清掃体１５３を、所定の回転方向Ｋに回転させた時に、清掃体固定部２０３は、清掃体１７３の前側に位置するが、清掃体１７３より低いので、被清掃面の塵埃清掃には何ら支障はなく、回転清掃体１５３が１回転すると、４つの清掃体１７３は、それぞれ１回ずつ被清掃面Ｆに対し喰い込むように接触して清掃するので、清掃効率の向上が図れる。
【００２２】
なお、上記実施例において駆動体は電動機としたが、ファンや走行車輪等の駆動力を使用しても良い。さらに、毛腰の弱いブラシ体と毛腰の強いブラシ体の毛丈を同一にしたが、使用目的よっては毛腰の弱いブラシ体の毛丈を長くして、板の間等の磨き効果をより求めてもいいものである。また、電気掃除機本体と吸込具は別体で構成したが、吸込具に電動送風機を収納した一体型でも良い。なお、本発明の主旨を逸脱しない範囲で、本案や他の実施例の組み合わせによる、さまざまな実施形態をとることが出来るものである。
【００２３】
図１１は、本発明に係る空気調和機の断面図であり、図１２は、本発明に係る除塵体の斜視図である。
【００２４】
図１１において、空気調和機本体４０は、熱交換器４３と、室内の空気を取り入れる空気吸入口４１と、熱交換器４３と空気吸入口４１の間に配され、空気吸入口４１から流入する空気中に含まれる塵埃を捕集するエアフィルター４４と、エアフィルター４４の上流側に配されると共に、エアフィルター４４で捕集された塵埃を除去する清掃装置を有し、前記清掃装置は、回転清掃体１５５と回転清掃体１５５を回転させるための回転駆動手段（図示せず）と、回転清掃体１５５をエアフィルター４４の上流側の表面に沿って上下方向に移動させる上下移動手段（図示せず）と、回転清掃体１５５に付着した塵埃を除去する除塵体５０にて形成されてあり、室内の空気を空気吸入口４１から吸引し、エアフィルター４４、熱交換器４３を通して、空気吹出口４２から、熱交換された空気を室内に吹き出す送風ファン４５とを備えている。回転清掃体１５５に付着した塵埃は、除塵体５０にて除去され、集塵ケース４６に捕集された後、空気調和機の外部に排出される。この機構を採用することにより、エアフィルター４４に付着したチリやホコリ等は、回転清掃体１５５の毛腰の強いブラシ体２３５にて掻き出し除去できる共に、油やヤニ等の粘着質な汚れは、毛腰の弱いブラシ体２５５にて拭き上げることができ、清掃効果が向上する。
【００２５】
図１２において、除塵体５０は、くし状体５３が形成されてあり、くし状体５３は、略Ｖ字形状の傾斜面５４、６４を有するくし歯列５５、６５が形成されてあり、長手方向の両端部に、除塵体５０を回動可能にするように、回転軸５１が形成されてある。図１１において、清掃装置が上方向（白抜き矢印の方向）に移動する際は、回転清掃体１５５は反時計回りの方向（矢印の方向）に回転してエアフィルター４４に付着した塵埃を除去するとともに、除塵体５０が回転清掃体１５５の回転方向にたいして押されるようにして可動し、くし歯列５５が回転ブラシ１５５に当接する。逆に、図示しないが、清掃装置が下方向に移動する際は、回転清掃体１５５が時計まわりの方向に回転しエアフィルター４４に付着した塵埃を除去するとともに、除塵体５０が回転清掃体１５５の回転方向にたいして押されるようにして可動し、くし歯列６５が回転清掃体１５５に当接する。よって、清掃装置の使用時には常時、エアフィルター４４に付着した塵埃を除去して、集塵ケース４６内に移動させることができる。また、回転清掃体１５５のブラシ体は、毛丈方向の中心軸線がローター体の回転中心軸線に非通過となるよう、ローター体に取り付けてあると共に、除塵体５０は略Ｖ字形状となっているため、ブラシ体の除塵体への進入角度を調整することで、効率よく回転清掃体１５５に付着した塵埃を除去できる。さらにまた、除塵体５０は回動可能に形成されているため、固定されている場合と比べて、回転清掃体１５５との接触抵抗を低減できると共に、摩擦による回転清掃体の摩耗や毛切れを軽減できる。なお、くし歯列５５、６５の形状は図示した略波形だけでなく、矩形波、三角波、のこぎり波など、回転清掃体から塵埃を除去できる形状であれば採用できる。
【００２６】
なお、ブラシ体の毛腰の強弱をつける方法は、様々な手段を用いることができる。例えば、各ブラシ体を構成する毛材の材質を、一方のブラシ体は硬質材、他方のブラシ体を軟質材として異材質で形成してもよい。また、同様に各ブラシ体を形成する毛材の線径や毛丈をそれぞれ異ならせる事で毛腰の強弱を付けられる。すなわち、同材質の毛材であっても毛腰の強いブラシ体の毛材に、毛腰の弱いブラシ体と比べて直径が太い毛材を使用したり、短い毛丈を使用して毛腰の強弱をつける場合も本発明に含まれる。なお、他にも本発明の主旨を逸脱しない範囲で、本案や他の実施例の組み合わせによる、さまざまな実施形態をとることが出来る。
【産業上の利用可能性】
【００２７】
本発明の回転清掃体は、毛腰の弱いブラシ体と毛腰の強いブラシ体を近接して設けることにより、形状や材質の異なった各種被清掃面の塵埃や、フィルター上の微細な塵埃や油分を含んだ塵埃を、確実に効率よく清掃できる清掃体として、広く好適に使用することができる。
【符号の説明】
【００２８】
１  電気掃除機
２  掃除機本体
３  スイッチ
４  ホース部
５  延長管
６  吸込具
７  吸込口
８  回転清掃体収納室
９  塵埃通路
１０  上ケース
１１  下ケース
１２  吸込具ケース
１３  接続管
１４  走行車輪
１５、１５１、１５３、１５５  回転清掃体
１６、１６１、１６３  ローター体
１７、１７１、１７３  清掃体
１８  軸体
１９  軸受体
２０、２０１、２０３  清掃体固定部
２１、２１１、２１２、２１３  基部
２３、２３１、２３３、２３５  毛腰の強いブラシ体
２５、２５１、２５３、２５５  毛腰の弱いブラシ体
２７  制御室
２８  駆動体
２９  駆動室
３０  連結具
３１  ベルト
３６  制御用電子部品
４０  空気調和機本体
４１  空気吸入口
４２  空気吹出口
４３  熱交換器
４４  エアフィルター
４５  送風ファン
４６  集塵ケース
５０  除塵体
５１  回転軸
５３  くし状体
５４、６４  傾斜面
５５、６５  くし歯列
Ｃ  回転中心軸線
Ｄ１、Ｄ２  直径
ＤＤ、ＤＭ、ＤＳ  回転円
Ｅ  寸法差
Ｆ  被清掃面
Ｇ  塵埃
Ｈ  毛丈
Ｋ  回転方向
Ｌ、Ｙ１  所定距離
Ｍ  溝
Ｓ  隙間
ＷＮ、ＷＫ  幅寸法
Ｘ  縦軸線
ＸＸ  仮想中心線
Ｙ  横軸線
【図１】
2015171518.tif 000003
【図２】
2015171518.tif 000004
【図３】
2015171518.tif 000005
【図４】
2015171518.tif 000006
【図５】
2015171518.tif 000007
【図６】
2015171518.tif 000008
【図７】
2015171518.tif 000009
【図８】
2015171518.tif 000010
【図９】
2015171518.tif 000011
【図１０】
2015171518.tif 000012
【図１１】
2015171518.tif 000013
【図１２】
2015171518.tif 000014